(57)【特許請求の範囲】
【請求項１】
給水口と給湯口とシャワー側通水口とカラン側吐水口とを有する水栓本体と、水栓本体に温度調節手段を内蔵すると共に、温度調節手段の下流側に設けたシャワー側通水口とカラン側吐水口に連通する連通路にそれぞれ自閉機構部を設け、
前記水栓本体の一方端に前記温度調整手段の温度設定を行う温度調節操作部を設け、前記水栓本体の他方端に前記シャワー側の自閉機構部を操作するレバーハンドル式の操作部を設け、前記水栓本体の略中央部に前記カラン側の自閉機構部を操作するプッシュ式の操作部を設け、
それぞれの自閉機構部を操作する前記レバーハンドル式の操作部と前記プッシュ式の操作部とを略同一水平面で隣接するように配置し、
前記レバーハンドル式の操作部の回転角度は水平軸を挟んだ角度に設定され、前記操作部を回転操作した後、手を放すと当該操作部が元の位置に戻ることを特徴とする自閉式湯水混合水栓。
【請求項２】
水栓本体を略Ｔ字形に形成したことを特徴とする請求項１記載の自閉式湯水混合水栓。
【発明の詳細な説明】
【０００１】
【発明の属する技術分野】
本発明は、水栓内に組込まれた温度調節ユニットにより、適温に調節された混合水をシャワー側と、カラン側に供給し、それぞれが予め設定した設定量に従って自動的に吐水する自閉式湯水混合水栓に関する。
【０００２】
【従来の技術】
従来の自閉式水栓としては、実開平１ー１４００７５号のものがある。この自閉式水栓は、給湯源及び給水源に通じる給水脚、給湯脚を接続した通水本体があり、シャワー側と、カラン側に独立して混合水を供給し、それぞれの吐水量も個別に調節可能にした、同一構造、同一機能、同一操作による自閉弁機構ハンドルユニットを該通水本体を中心に上下に配置して、混合栓本体を形成している。
【０００３】
【発明が解決しようとする課題】
しかし、シャワー自閉機構部とカラン自閉機構部が混合栓本体を中心に上下に配置されているため、操作方向が横向きになってしまい、ハンドルを操作する時に手首を返す必要があり、操作しずらい。また、操作位置の高さが異なり、特に下側にある吐水口側自閉ハンドルは一層操作しずらく、更にハンドルから機構への操作が単純なプッシュ式のため、高水圧現場では水圧の影響を受けて、操作力が重くなるという欠点がある。更に、同一の水栓本体で、機能部の交換による仕様の水平展開が難しく、また、凹凸部が多く水栓全体が大型化し、施工時においてもスパナが当たったりして非常に施工しずらいし、清掃にも手間がかかる。シャワー自閉ハンドルとカラン自閉ハンドルが同一構造、同一操作であり、かつ上下に配置されているのみであるため、ハンドルの機能がわかりずらく、初めて使う人は操作ミスの可能性があり、また、シャンプー時手探りでの判別がしにくく、誤って違うハンドルを操作してしまうこともある。
【０００４】
本発明において解決すべき課題は、同一機能のシャワー自閉弁機構とカラン自閉機構を混合栓本体に並列して配置し、操作方向を上下方向とし、ハンドルの操作位置を略同一水平面上とし、それぞれのハンドル形状を異ならせ、さらに使用頻度の高いシャワー自閉機構部は回転式駆動機構を用いて操作力を一段と軽減化を図るとともに耐久性もアップさせた。また、水栓のコンパクト化と凹凸部の減少で、上記に示す欠点を全て解決するような自閉式湯水混合水栓を提供することにある。つまり、誤操作防止、操作力の軽減により、子供やお年寄りがより簡単により安全に使用でき、施工性、清掃性にも優れた自閉式湯水混合水栓を提供する。
【０００５】
【課題を解決するための手段】
給水口と給湯口とシャワー側通水口とカラン側吐水口とを有する水栓本体と、水栓本体に温度調節手段を内蔵すると共に、温度調節手段の下流側に設けたシャワー側通水口とカラン側吐水口に連通する連通路にそれぞれ自閉機構部を設け、
前記水栓本体の一方端に前記温度調整手段の温度設定を行う温度調節操作部を設け、前記水栓本体の他方端に前記シャワー側の自閉機構部を操作するレバーハンドル式の操作部を設け、前記水栓本体の略中央部に前記カラン側の自閉機構部を操作するプッシュ式の操作部を設け、
それぞれの自閉機構部を操作する前記レバーハンドル式の操作部と前記プッシュ式の操作部とを略同一水平面で隣接するように配置し、
前記レバーハンドル式の操作部の回転角度は水平軸を挟んだ角度に設定され、前記操作部を回転操作した後、手を放すと当該操作部が元の位置に戻るようにした。
【０００６】
【発明の実施の形態】
水栓本体を略Ｔ字形に形成した。水栓本体の一方端に温度調整手段の温度設定を行う温度調節操作部を設け、水栓本体の他方端にシャワー側の自閉機構部を操作する操作部を設け、水栓本体の略中央部にカラン側の自閉機構部を操作する操作部を設けた。水栓本体の一方端にカラン側の自閉機構部を操作する操作部を設け、水栓本体の他方端にシャワー側の自閉機構部を操作する操作部を設け、水栓本体の略中央部に温度調整手段の温度設定を行う温度調節操作部を設けた。シャワー側の自閉機構部を操作する操作部をレバーハンドルとした。
【０００７】
【実施例】
図１から図７に本発明の第１実施例を示し、図１は正面図、図２は側面図、図３は一部断面にした正面図、図４は図１におけるＡ−Ａ断面側面図、図５は一部断面にした平面図、図６は図１におけるＢ−Ｂ断面側面、図７は設置状態を示す斜視図を示す。自閉式湯水混合水栓１００は洗い場Ａより一段高くしたカウンター面Ｂより上方の壁面Ｃに設置され、給水源に通じた給水口としての給水脚１と給湯源に通じた給湯口としての給湯脚２が水栓本体３に接合してある。水栓本体３は略Ｔ字形とし、混合水の出口として、カウンター面Ｂに臨むように下方に延びるカラン側吐水口４と後方側にシャワーヘッドに通じるシャワー側通水口５が設けてある。給湯源及び給水源から供給された湯及び水は給湯脚２及び給水脚１を通って水栓本体３の左側に接続された温度調節手段としての温度調節ユニット６に供給され、温度調節ユニット６に接続した温度調節ハンドル７で予め設定しておいた吐水温度に調節され、ユニット出口８より通水路３ａに混合水が吐出される。吐水された混合水は、水栓本体３の右側で、かつ温度調節ユニット６と同一軸上に接続されたシャワー自閉機構部９と該軸に直交する方向に下側にかつカラン吐水口４の直上に接続されたカラン自閉機構部１０のそれぞれのシート部１１、１２の近傍まで、また圧力室蓋１３、１４の小穴を通してそれぞれの圧力室１５、１６まで、給水源、給湯源の持つ水圧を保って流入してきている。
【０００８】
ここで、シャワー自閉機構部９とカラン自閉機構部１０の動作を簡単に説明する。シャワー自閉機構部９の先端にはハンドル駆動機構部１８が接続されており、更にその先端にシャワー自閉ハンドルユニット１９が固定されている。シャワー自閉ハンドルユニット１９のレバーハンドル１９ａを押し下げることによりレバーハンドル１９ａに接続されたスピンドル２０が回転する。回転したスピンドル２０はその末端に設けた回転カム機構によって、回転運動が軸方向の直線運動に変換されて押し棒２１に伝達される。押し棒２１は外周にスプラインが切ってあり、回転を止めながらスピンドルガイド２２の中を軸方向に摺動する。押し棒２１により、ピストンバルブ２３が押されて、シート部１１が開き、混合水が流れ、シャワー吐水口５より吐水される。
【０００９】
一連のハンドル操作が終了し、レバーハンドル１９ａより手を離すとハンドル駆動伝達機構部１８先端に取り付けたねじりばね２４と補助ばね２５によって、レバーハンドル１９ａ及び押し棒２１は元の位置に戻る。ねじりばね２４はスピンドルガイド２２とブッシュ２６により常にレバーハンドル１９ａを戻す方向へ付勢されるように保持されている。吐水が継続している間、圧力室蓋１３に設けられた小穴１３ａより徐々に混合水が圧力室１５に流入し、ばね２７の荷重と圧力室１５内の合計圧力と、外側の圧力が平衡した時にピストンバルブ２３が戻りシート面１１ａが閉鎖されて吐水が止まる。
【００１０】
吐水時間の調節は、レバーハンドル１９ａの回転角度を制御することにより、スピンドル２０に連結する押し棒２１の移動ストロークを変えることにより行う。レバーハンドル１９ａの回転運動は、スピンドルガイド２２に固定したストッパー２８の切欠き端面部２９にレバーハンドル１９ａ内に設けた突起部１９ｂが当り、回転が規制され、このストッパー２８のはめ替えにより切欠き端面部２９の端面位置を任意に変えることによりレバーハンドル１９ａの回転角度を変えるようになっている。レバーハンドル１９ａの回転角度は操作性を考えて、水平軸を挟んで４５度に設定するのが最適であるが最大６０度までよい。即ちレバーハンドル１９ａの回転角度はストッパー２８の調整により最大６０度まで調整可能としている。またレバーハンドル１９ａ上に水が溜まるのを防止するためにレバーハンドル１９ａの上面に傾斜をつけた。また、レバーハンドル１９ａのレバー部又は、温度調節ハンドル７のレバー部を中空に形成した場合には、開口部に塞ぎ蓋を設けて美観を向上させてもよい。
【００１１】
カラン自閉機構部１０は、シャワー側の回転伝達機構とは異なり、従来と同様の軸方向プッシュ伝達式である。カラン自閉機構部１０の先端に止めねじ３０と、押し下げ方向と逆方向に付勢するばね３１によって固定されたハンドル３２と樹脂キャップ３３をかぶせて、止めねじ３４で固定したハンドルユニット３２ａを押すとハンドル３２にねじ込まれてロックナット３５で緩まないように固定された押し棒３６が押し下げられ、前記シャワー自閉機構部９と同様の動きでシート部１２が開放し、混合水が流れてカラン側吐水口４より吐出される。ハンドルユニット３２ａから手を放すとばね３１の反力によりハンドルユニット３２ａは元に戻り、引き続いて先述の原理でピストンバルブ３７が閉止し、吐水が止まる。吐水量の調節はロックナット３５を緩め、ロックナット３５に設けた穴３５ａよりをドライバー等を挿入し、押し棒３６を回転して位置決めを行い、押し棒３６の下端面とピストンバルブ３７の隙間を変化させることにより調節設定し、ロックナット３５を締付けて固定する。尚、本実施例のようにハンドルユニット３２ａの押し下げ方向を壁面Ｃに向けて斜め下方向にすることで体重を加え易く操作性が良くなるうえ、カラン側吐水口４を壁面Ｃ側に傾けてハンドルユニット３２ａより壁面Ｃ側に近づけることでカウンター面Ｂの幅を狭く出来、その分洗い場Ａを広げることが可能になる。
【００１２】
シャワー吐水とカラン吐水の吐水流量は、その使用目的からそれぞれ異なった流量であり、通常はカラン吐水流量は短時間で洗面器に貯めることより流量が多い方が望ましく、シャワー吐水流量は直接体に浴びることから適正な流量に設定する必要がある。このため、図６の流量調節ユニットにおいて、スピンドル３８をドライバー等で回して、スピンドルの切欠き開口面積を調節することにより、高水圧現場で、吐水流量が多すぎる場合でもシャワー側のみ吐水流量を適正な流量に調節することができるようにしてある。
【００１３】
以上のような自閉弁機構により吐水するような自閉式水栓の場合においては、使用中に動作を終わらないうちに吐水が止まってしまうことが多々あり、その都度ハンドルユニットを操作して再吐水することが常である。特にシャワー側においてはその使用頻度が最も高いため、操作回数が非常に多くなる。しかるに自閉水栓においては、シャワー、カラン吐水時に繰り返し発生するハンドル操作が、お年寄りや子供でも楽な操作ができ、合わせて初めて使う人でもその機能が一目でわかり、更に顧客のニーズに応じた機能の水平展開が容易であり、凹凸部を少なくして、使用者が安全に使え、施工、清掃がより簡単にできること等の機能が、要求される。今回の発明においては、自閉機能部の配置形態を従来と比べて大幅に変えることによって配置角度、操作位置ハンドル形状、駆動機構の見直しが可能になったので、上記の要求品質を満足する、即ちより操作性能、汎用性、施工性に優れた自閉水栓を提供することができる。
【００１４】
図８は本発明の第２実施例を示す正面図である。自閉式湯水混合水栓１０１の水栓本体４０の中央部にプッシュ伝達式のカラン用のハンドルユニット４１を設け、右側に設けたシャワー用のハンドルユニット４２もプッシュ伝達式にし、シャワー用、カラン用の両操作部を略同一水平面で隣接するように配置する。カラン用のハンドルユニット４１の下部には回転自在のカラン側吐水口４３を接続している。シャワー用のハンドルユニット４２の下部にはシャワー側吐水口４４を接続している。
【００１５】
本発明は上述の実施例に限定されること無く種々の変形が可能である。
【００１６】
【発明の効果】
給水口と給湯口とシャワー側通水口とカラン側吐水口とを有する水栓本体と、水栓本体に温度調節手段を内蔵すると共に、温度調節手段の下流側に設けたシャワー側通水口とカラン側吐水口に連通する連通路にそれぞれ自閉機構部を設け、それぞれの自閉機構部を操作する操作部を略同一水平面で隣接するように配置したことにより、それぞれの操作部の操作方向を上下に設定でき、各操作部を操作する場合に手首を返さずに自然な状態で押せ、また、各操作部が略同一水平面にあるため操作感が変わらず、操作が非常に楽になりお年寄りや子供でも簡単に使える。
【００１７】
水栓本体を略Ｔ字形に形成したため、自閉機構部を備えたにもかかわらず水栓本体がコンパクトにでき、凹凸面が少なくなるので、施工がしやすく、清掃もよりしやすくなる。さらに、顧客のニーズに応じた機能、例えばシャワー自閉機構部の代りに開閉機構部あるいは塞ぎ蓋を付けるなどにより多機能な水栓への水平展開が容易である。
【００１８】
水栓本体の一方端に温度調整手段の温度設定を行う温度調節操作部を設け、水栓本体の他方端にシャワー側の自閉機構部を操作する操作部を設け、水栓本体の略中央部にカラン側の自閉機構部を操作する操作部を設けたため、使用頻度のシャワー側の駆動機構部を回転駆動式にできるので、操作力が一段と軽く更に耐久性に優れた自閉機構部とすることができる。
【００１９】
水栓本体の一方端にカラン側の自閉機構部を操作する操作部を設け、水栓本体の他方端にシャワー側の自閉機構部を操作する操作部を設け、水栓本体の略中央部に温度調節手段の温度設定を行う温度調節操作部を設けるようにすると、シャワー側及びカラン側操作部の操作を別別の手で行うことになり、より一層操作部を間違えることがなくなり、更に。操作力がカラン側とシャワー側で全く同じになり、より楽な操作ができるようになる。
【００２０】
シャワー側の自閉機構部を操作する操作部をレバーハンドルとし、カラン側自閉ハンドルと形状を異ならせたため、機能が一目でわかり初めて使う人も安心して使用できる。また、シャンプー時等で目がふさがっている場合でも容易に手探りでハンドルが判別でき、操作部を間違えることがない。さらに、操作力が軽く子供やお年寄りにも楽に操作ができる。
【図面の簡単な説明】
【図１】第１実施例の正面図。
【図２】第１実施例の側面図。
【図３】同一部断面正面。
【図４】図１におけるＡ−Ａ断面側面。
【図５】同一部断面平面図。
【図６】図１におけるＢ−Ｂ断面側面。
【図７】設置状態を示す斜視図。
【図８】第２実施例の正面図。
【符号の説明】
１…給水脚（給水口）
２…給湯脚（給湯口）
３、４０…水栓本体
３ａ…連通路
４、４３…カラン側吐水口
５、４４…シャワー側通水口
６…温度調節ユニット（温度調節手段）
９…シャワー自閉機構部（自閉機構部）
１０…カラン自閉機構部（自閉機構部）
１９ａ…レバーハンドル（自閉機構部を操作する操作部）
３２ａ、４１、４２…ハンドルユニット（自閉機構部を操作する操作部）
１００、１０１…自閉式湯水混合水栓
【図１】
0004096444.tif 000002
【図２】
0004096444.tif 000003
【図３】
0004096444.tif 000004
【図４】
0004096444.tif 000005
【図５】
0004096444.tif 000006
【図６】
0004096444.tif 000007
【図７】
0004096444.tif 000008
【図８】
0004096444.tif 000009